(57)【要約】【課題】中皿に充填される化粧料の飛散による鏡の汚損を防止するとともに中皿に対する衝撃を吸収するための、製造容易かつ安価であり、しかも薄くて軽い中皿保護シートを備えたコンパクト容器を提供する。【解決手段】中皿２に充填される化粧料Ｐの飛散による鏡５の汚損を防止するとともに中皿に対する衝撃を吸収する中皿保護シート１１とを有し、中皿保護シートは、中皿の底面２ａと容器本体４との間に挟み込まれるベース部２２と、ベース部に一体的に形成され、容器本体と蓋体６との間に挟み込まれて中皿の上面開口部を開閉自在に覆うカバー部２３とを有するとともに、ベース部には、ベース部から斜めに突出し、上下方向の弾発性を有する突片２７が設けられる。【選択図】図１
2006305107.tif 000002
【特許請求の範囲】
【請求項１】
中皿収納部が形成される容器本体と、該容器本体を開閉する蓋体と、該蓋体の内側面に設けられる鏡と、上記中皿収納部に着脱自在に収納される中皿と、該中皿に充填される化粧料の飛散による上記鏡の汚損を防止するとともに当該中皿に対する衝撃を吸収する中皿保護シートとを有し、該中皿保護シートは、上記中皿の底面と上記容器本体との間に挟み込まれるベース部と、該ベース部に一体的に形成され、上記容器本体と上記蓋体との間に挟み込まれて上記中皿の上面開口部を開閉自在に覆うカバー部とを有するとともに、上記ベース部には、ベース部から斜めに突出し、上下方向の弾発性を有する突片が設けられることを特徴とするコンパクト容器。
【発明の詳細な説明】
【技術分野】
【０００１】
本発明は、中皿に充填される化粧料の飛散による鏡の汚損を防止するとともに中皿に対する衝撃を吸収するための、製造容易かつ安価であり、しかも薄くて軽い中皿保護シートを備えたコンパクト容器に関する。
【背景技術】
【０００２】
容器本体に収容された中皿の上面開口部を覆い、中皿に充填される化粧料の飛散などを防止するとともに、中皿に対する衝撃を吸収する中皿保護シートを備えたコンパクト容器として、例えば特許文献１に開示されたものが知られている。
【０００３】
特許文献１では、容器本体の受け皿部と中皿との間に挟持される挟接シート部と、蓋体と中皿上面の間を仕切る仕切りシート部分と、これら両シート部分を連結する接合シート部分とが一体となり、各部分間が折り曲げ可能な中皿保護シートが装着されたコンパクト容器が開示されている。そして挟接シート部分の少なくとも一部には、中皿に対する衝撃を吸収するため、比較的弾性率が低いエラストマーや発泡体などからなる衝撃吸収材料が設けられている。
【特許文献１】特開２００４−２９８２５７号公報
【発明の開示】
【発明が解決しようとする課題】
【０００４】
ところで、上記背景技術にあっては、挟接シート部分に、エラストマーや発泡体などからなる別部材である衝撃吸収材料を貼り付けているため、保護シートを製造する上で、衝撃吸収材料を準備するための手間やコストの面で不利であった。また、挟接シート部分は受け皿部の底部面積とほぼ同じであることが好ましいとされており、他方、衝撃吸収材料は相当の厚みを有するブロック状の形状を有するものであるため、挟接シート部分は全体として、比較的厚くて重いものとなってしまっていた。
【０００５】
本発明は上記従来の課題に鑑みて創案されたものであって、中皿に充填される化粧料の飛散による鏡の汚損を防止するとともに中皿に対する衝撃を吸収するための、製造容易かつ安価であり、しかも薄くて軽い中皿保護シートを備えたコンパクト容器を提供することを目的とする。
【課題を解決するための手段】
【０００６】
本発明にかかるコンパクト容器は、中皿収納部が形成される容器本体と、該容器本体を開閉する蓋体と、該蓋体の内側面に設けられる鏡と、上記中皿収納部に着脱自在に収納される中皿と、該中皿に充填される化粧料の飛散による上記鏡の汚損を防止するとともに当該中皿に対する衝撃を吸収する中皿保護シートとを有し、該中皿保護シートは、上記中皿の底面と上記容器本体との間に挟み込まれるベース部と、該ベース部に一体的に形成され、上記容器本体と上記蓋体との間に挟み込まれて上記中皿の上面開口部を開閉自在に覆うカバー部とを有するとともに、上記ベース部には、ベース部から斜めに突出し、上下方向の弾発性を有する突片が設けられることを特徴とする。
【発明の効果】
【０００７】
本発明にかかるコンパクト容器にあっては、中皿に充填される化粧料の飛散による鏡の汚損を防止するとともに中皿に対する衝撃を吸収するための、製造容易かつ安価であり、しかも薄くて軽い中皿保護シートを備えることが可能となる。
【発明を実施するための最良の形態】
【０００８】
以下に、本発明にかかるコンパクト容器の好適な一実施形態を、添付図面を参照して詳細に説明する。本実施形態にかかるコンパクト容器１は、図１、図２に示すように、化粧料Ｐを充填した中皿２を着脱自在に収納する凹状の中皿収納部３が形成された容器本体４と、内側に鏡５が設けられた蓋体６とから主に構成される。容器本体４には、中皿収納部３と並列に凹状の化粧用具収納部７が形成されており、例えばパフなどの化粧用具がここに収納される。容器本体４と蓋体６とは、それぞれの後端側端部に設けられたヒンジ機構８により互いに回動自在に連結されており、蓋体６は、このヒンジ機構８により容器本体４を開閉する。また、ヒンジ機構８と反対側の前端部には、容器本体４と蓋体６との間に、フック機構９が設けられており、蓋体６はこのフック機構９により容器本体４に係脱自在に係合されて容器本体４の閉止状態を維持する。
【０００９】
本実施形態の容器本体４および蓋体６は、いずれも合成樹脂製であって、その平面形状は横長の、ほぼ矩形状である。容器本体４に形成された中皿収納部３と化粧用具収納部７の平面形状も、ほぼ矩形状である。中皿２は、中皿収納部３内にほぼぴったりとおさまるようなほぼ直方体の外形形状を有し、上面のほぼ全面が開口されている。容器本体４の、中皿収納部３と化粧用具収納部７との間を区画している隔壁１０の中央付近には、化粧用具収納部７の化粧用具を出し入れしたり、後述する中皿保護シート１１を手指にて操作するためのスペースを形成する切り欠き部１２が設けられている。
【００１０】
中皿収納部３の、外側（化粧用具収納部７と反対側）側壁１３には２つの第１係合突起１５が設けられ、反対側である化粧用具収納部７側側壁１４には２つの第２係合突起１６が設けられている。これら第１、第２係合突起１５、１６はそれぞれ、中皿２の、外側周壁１７および化粧用具収納部７側周壁１８の外面に２つずつ設けられた第１係合凹部１９および第２係合凹部２０と係合し合い、その結果、中皿２が中皿収納部３に嵌合される。
【００１１】
各係合突起１５、１６は、いずれもその上面が内方へ向かって下降するように傾斜している。また、第１係合突起１５は、中皿収納部３の外側側壁１３上に、左右方向（中皿収納部３の中央側と、その反対側である外側の方向）に弾性変形しうるように形成された係合用下垂片２１の上に隆起形成されている。係合用下垂片２１の内側面は、中皿収納部３の外側側壁１３の内側面と面一に形成されている。
【００１２】
中皿２を中皿収納部３内に嵌合すべく上方から押し込んでゆくと、まず始めに中皿２の外側周壁１７および化粧用具収納部７側周壁１８の下端が第１、第２係合突起１５、１６の上面に当接し、第１係合突起１５を押すことにより係合用下垂片２１を外側に押しのけるように弾性変形させつつ、次第に中皿２が下降してゆく。次いで、中皿２の各係合凹部１９、２０が、中皿収納部３の各係合突起１５、１６に対応する位置にくるまで下降すると、第２係合突起１６と第２係合凹部２０とが互いに係合し合い、かつまた第１係合突起１５を有する係合用下垂片２１が弾性復帰し、第１係合突起１５と第１係合凹部１９も互いに係合し合う。
【００１３】
ここで、各係合凹部１９、２０の上下寸法は、各係合突起１５、１６の上下寸法よりも若干大きく形成されている。この結果、各係合突起１５、１６の位置や寸法の誤差をある程度許容することができるとともに、中皿２が中皿収納部３に対して、上下方向に若干の相対移動が可能となるよう設定されている。
【００１４】
中皿２と中皿収納部３との間には、中皿保護シート１１が装着される。本実施形態の中皿保護シート１１は、中皿２の底面２ａと中皿収納部３の底部３ａとの間に挟み込まれるベース部２２と、蓋体６の閉止時には容器本体４の上面部と蓋体６との間に挟み込まれて中皿２の上面開口部を開閉自在に覆うカバー部２３と、ベース部２２とカバー部２３との間を連繋する接続部２４とから一体的に形成されている。接続部２４は、中皿保護シート１１を装着した状態では、中皿収納部３の外側の側壁１３と中皿２の外側周壁１７との間に配置される。中皿保護シート１１は全体的に、ポリプロピレンやＰＥＴなどの合成樹脂を材料とした薄いフィルム状であって、カバー部２３、ベース部２２、接続部２４の各部はいずれもほぼ矩形に形成されている。また、各部同士の間には折れ線２５、２６が形成されており、互いに折り曲げ自在に構成されている。
【００１５】
カバー部２３は、中皿２の上面とほぼ同寸法であって、中皿２の上面開口部をすっかり覆うように蓋体６と容器本体４との間に挟み込まれるので、蓋体６を閉止した状態において、中皿２に充填される化粧料Ｐの飛散による鏡５の汚損を防止する。カバー部２３と接続部２４との間の折れ線２５は、本実施形態にあっては、外側の面に先の鋭い治具などを押し当てることによって形成されている。その結果カバー部２３は、通常の状態では、折れ線２５を支点に外側へ開くように形成されている。従って、コンパクト容器１の蓋体６を開放すると、カバー部２３は、ひとりでに図２に示す状態のように大きく外側へと開くので、使用者は中皿２に充填された化粧料Ｐを問題なく使用することができる。コンパクト容器１の使用を終える場合には、中皿保護シート１１のカバー部２３を、折れ線２５を支点に、中皿２の上面開口部を覆うように折り込んでから蓋体６を閉止する。
【００１６】
カバー部２３の先端には、かまぼこ型に若干膨出した操作部２３ａが形成されており、蓋体６を閉止する際には例えば、片方の手で、容器本体４を把持しながら操作部２３ａを押さえ、カバー部２３が中皿２の上面開口部を覆うように維持しつつ、他方の手で蓋体６を閉止すればよい。なお、カバー部２３と接続部２４との間の折れ線２５は、本実施形態のように、蓋体６を開放した状態で外側へ大きく開くように形成されていなくともよく、中皿２の上面開口部から若干持ち上がる程度であってもよい。その場合でも使用者は、蓋体６を開放した後で中皿保護シート１１のカバー部２３を、操作部２３ａなどをつまんで持ち上げることにより外側へ開けば、問題なく化粧料Ｐを使用することができる。
【００１７】
中皿保護シート１１の接続部２４は、中皿収納部３の外側側壁１３に設けられた２つの第１係合突起１５を覆ってしまわないように、両第１係合突起１５間に収まるような寸法・形状に構成されている。なお、このような形状などに限定されるものではなく、例えば両第１係合突起１５の外側においてカバー部２３とベース部２２とを連繋するような形状であっても構わない。
【００１８】
中皿保護シート１１のベース部２２は、中皿２の底面２ａおよび中皿収納部３の底部３ａとほぼ同寸法・同形状であって、その上面側に、上下方向に対し斜め方向に突出させて衝撃吸収用の突片２７が４つ設けられている。なお、ベース部２２の寸法や形状は、必ずしも上記各実施形態のように、中皿２の底面２ａおよび中皿収納部３の底部３ａとほぼ同じである必要はなく、若干それよりも小さい寸法や異なる形状を有するものであっても構わない。
【００１９】
突片２７についてより具体的には、ベース部２２の一部を４箇所、一辺を除いて矩形に切り抜き、残した一辺を折れ線として矩形部分の下面側が上方を向くように折り返すことによって形成されている。４つの突片２７のうち、外側すなわち化粧用具収納部７に遠い側に形成された２つの突片２７は外側に折り返され、化粧用具収納部７に近い側に形成された２つの突片２７は化粧用具収納部７側に折り返されている。
【００２０】
薄くて軽い構造のベース部２２の一部を折り曲げることにより形成されたこれらの突片２７は、上下方向に非常に柔軟な弾発性を有して板バネのように機能し、衝撃によって中皿２が下方に移動しようとする動きを柔軟に吸収する。さらにこれらの突片２７は、装着された中皿２の底面２ａに常に弾発的に当接し、中皿２を上方に押し上げるよう付勢している。その結果、中皿２の側壁１３、１４の各係合凹部１９、２０の下端が、中皿収納部３の周壁１７、１８の各係合突起１５、１６の下端に当接した状態、すなわち各係合凹部１９、２０が各係合突起１５、１６に対し上向きに引っ掛かった状態を維持する。これにより、中皿２が装着された状態において、外部から衝撃が加えられても、中皿２の、中皿収納部３に対する上方への相対移動は規制されている。
【００２１】
次に、本実施形態のコンパクト容器１の作用について説明する。使用者がコンパクト容器１を使用する際には、まずフック機構９の係合を解除し、蓋体６を、その前端側を保持しつつ持ち上げることにより開放する。すると蓋体６がヒンジ機構８により回動し、最終的に蓋体６が完全に開放される。その際、蓋体６が次第に開放されるにともなって、容器本体４と中皿２との間に装着されている中皿保護シート１１のカバー部２３が、内側に折り曲げられて中皿２の上面開口部を覆っていた状態から次第に、接続部２４との間の折れ線２５を支点に回動し折り返されて、外側へと開いてゆく。
【００２２】
蓋体６を完全に開放した時点では、上述のように、カバー部２３が大きく外側へと開いており、使用者は、中皿２に充填された化粧料Ｐをパフなどを用いて使用する。ここで、必要な場合には、中皿２を着脱して新しいものに交換してもよく、また、中皿保護シート１１をも着脱させて新しいものに交換してもよい。使用者がコンパクト容器１の使用を終了する際には、前述のように、中皿保護シート１１のカバー部２３を中皿２の上面を覆うように折り曲げた状態に維持しつつ蓋体６を閉止する。
【００２３】
以上説明したように、本実施形態にかかるコンパクト容器１にあっては、中皿保護シート１１の構成を、中皿２の底面２ａと容器本体４との間に挟み込まれるベース部２２と、ベース部２２に一体的に形成され、容器本体４と蓋体６との間に挟み込まれて中皿２の上面開口部を開閉自在に覆うカバー部２３とを有するとともに、ベース部２２には、ベース部２２から斜めに突出し、上下方向の弾発性を有する板バネ状の突片２７が設けられることとしたので、背景技術のようにエラストマーや発泡体などからなるブロック状の衝撃吸収材料をベース部に貼り付けるような場合に比して、中皿２に充填される化粧料Ｐの飛散による鏡５の汚損を防止するとともに中皿２に対する衝撃を吸収するための、製造容易かつ安価であり、しかも薄くて軽い中皿保護シート１１を備えることが可能となる。
【００２４】
さらに本実施形態では、上下方向に柔軟な弾発性を有する突片２７が、前述のように、中皿２を常に上方に押し上げているため、コンパクト容器１に外部から衝撃が加えられた場合でも、中皿２が中皿収納部３に対し上方に相対移動することは規制されており、かつまた下方に移動する場合には突片２７によりその衝撃が吸収されるので、中皿２が上下方向にがたつくことがない。また、中皿保護シート１１のベース部２２は薄くて軽い構造である上に、突片２７の存在により中皿２との間には空隙が存在していないので、中皿保護シート１１が上下にがたつくこともない。これに対し、背景技術のような中皿保護シートでは、比較的弾性率の低いエラストマーや発泡体などからなるブロック状の衝撃吸収材料を貼り付けたベース部は、中皿を常に上方に押し上げるように付勢してはいないため、中皿が上下にがたついてしまうとともに、比較的厚みがあり重いベース部も上下にがたついてしまう。仮に、中皿収納部の係合突起を十分下方に設けることによって、中皿を常にベース部に密着させてがたつき防止を図った場合には、係合突起や中皿、およびベース部などの非常に高い寸法精度が要求されることとなる。すなわち、中皿の嵌合位置がベース部上面に対していまだ上方に位置し過ぎた場合には、結局、中皿が上下に移動可能となってしまい、中皿やベース部などがたついてしまう。逆に、中皿の嵌合位置がベース部上面に対して下方に位置し過ぎた場合は、中皿を嵌合すべく中皿収納部に下降させる途中でベース部の上面に当たってしまい、中皿を嵌合することができない。結論として、本実施形態では、中皿２や中皿保護シート１１が上下にがたつくことを適切に防止するとともに、係合突起などの上下方向の寸法精度の許容性を高めており、コンパクト容器１の製造を容易にしている。
【００２５】
また特に、本実施形態の中皿保護シート１１は、ベース部２２の一部を切り抜いて折り曲げることによって衝撃吸収用の突片２７を形成することとしたので、ベース部２２と別体の突片２７や他の形状の衝撃吸収用部材をベース部２２に取り付ける場合などに比して、部品点数が少なくて済むとともにコスト面で有利である。
【００２６】
図３には、中皿保護シート１１の変形例が示されている。上記実施形態と重複する構成については同一符号を付すとともに説明を省略する。この変形例にあっては、中皿保護シート１１のベース部２２に設けられる４つの突片２８が、一辺を除いて矩形に切り抜かれる点は上記実施形態と同様であるが、残された一辺を折れ線として矩形部分全体が折り返されるのではなく、矩形部分の中央付近に、残された一辺と平行な折れ線２９が設けられ、当該折れ線が山部となるように折られることによって山形形状の突片２８が形成される。これら突片２８の、残された一辺から山部の折れ線２９に向かう部分は、ベース部２２の上面から斜めに突出しており、この部分が中皿２の底面２ａに弾発的に当接することにより、上下方向の衝撃を吸収する板バネのように機能する。かかる変形例にあっても、上記実施形態と同様の作用、効果を奏することはもちろんであるが、特にこの変形例にあっては、突片２８を形成する工程が、上記実施形態と同様に矩形の一辺を残して切り抜いた後、例えば突片２８の山形形状に対応する谷型の台座に突片２８を押しつけて形成すればよく、上記実施形態の突片２７が、矩形部分の一辺を残して切り抜いた後、折り返す工程が必要であるのに比べて簡単である。
【００２７】
なお、上記いずれの実施形態にあっても、中皿保護シート１１は、容器本体４と中皿２との間に着脱自在に挟み込まれることとしているが、ベース部２２や接続部２４などにおいて、中皿収納部３や中皿２に対し固定的に取り付けられる構成であっても構わない。
【００２８】
また、ベース部２２に設けられる突片２７、２８の形状は上記各実施形態のものに限定されるものではなく、上下方向に十分な弾発性を有するものであれば構わない。例えば、ベース部２２の上面側でなく下面側に突出するよう構成されたり、ベース部２２の一部を切り抜いて形成するのではなくベース部２２と別体の突片をベース部２２に取り付けることとしてもよい。また例えば、突片とベース部２２との間、特に突片の根元付近などにエラストマーやゴムなどのクッション材を設けることにより、上下方向の弾性率を適宜に調節したりしてもよい。
【図面の簡単な説明】
【００２９】
【図１】本発明にかかるコンパクト容器の好適な一実施形態を示す分解斜視図である。
【図２】図１のコンパクト容器の、中皿収納部付近を示す断面図である。蓋体を開放した状態を示している。
【図３】図１のコンパクト容器の、中皿保護シートの変形例を示す斜視図である。
【符号の説明】
【００３０】
１  コンパクト容器
２  中皿
３  中皿収納部
４  容器本体
５  鏡
６  蓋体
１１  中皿保護シート
２２  ベース部
２３  カバー部
２７、２８  突片
Ｐ  化粧料
【図１】
2006305107.tif 000003
【図２】
2006305107.tif 000004
【図３】
2006305107.tif 000005